(57)【特許請求の範囲】
【請求項１】
透明材料から成るとともに、光入射面および光出射面を有する導光板と、
前記導光板の光入射面と対向配置された複数の点状光源と、
前記導光板の光出射面と対向配置された拡散板と、を備え、
前記拡散板には、前記点状光源から遠ざかるに従って光隠蔽性が低下するドットパターンが形成されており、
平面視において、前記ドットパターンは、前記点状光源から前記導光板の光入射面に対して垂線を引いた場合の当該垂線上に位置するとともに複数の前記点状光源のそれぞれに対応して存在する極大部と、隣り合う前記点状光源間の中心から前記導光板の光入射面に対して垂線を引いた場合の当該垂線上に位置する極小部とを有し、
前記極大部と前記極小部とを円弧状の曲線で結んだ場合において、前記ドットパターンは、当該円弧状の曲線が、前記点状光源の配列方向に沿って、複数連続して形成されたパターンであることを特徴とする照明パネル。
【請求項２】
請求項１に記載の照明パネルと、
前記照明パネルと対向配置されており、かつ有効表示領域を有する液晶表示パネルと、を備え、
前記極大部および前記極小部は、前記有効表示領域内に位置している、液晶表示装置。
【請求項３】
請求項２に記載の液晶表示装置を備えた携帯端末または表示機器。
【発明の詳細な説明】
【０００１】
【発明の属する技術分野】
本発明は透明材料からなる導光体を備えた照明パネルであり、たとえば液晶表示装置などの表示装置に用いるバックライトと呼ばれる照明パネルに関するものである。さらに本発明は、この照明パネルを用いた液晶表示装置に関するものである。また、本発明は、この液晶表示装置を配設した携帯端末または表示機器に関するものである。
【０００２】
【従来の技術】
携帯電話に代表されるような携帯端末に広く用いられる液晶表示装置は画像表示を行う表示部（液晶表示装置）を照明するために、いわゆるバックライトを用いている。
【０００３】
この携帯端末によれば、小型化と低消費電力化が求められており、そのために液晶表示装置に対し、さらなる小型化と低消費電力化が要求されている。
【０００４】
このような要求に対する液晶表示装置用のバックライトとして、発光ダイオード（以下、発光ダイオードをＬＥＤと略記する）を用いたエッジライト方式のバックライトシステムが一般的に用いられる。
【０００５】
このようなエッジライト方式による照明パネル（バックライト）を図５と図６により説明する。
【０００６】
図５はバックライト１の概略平面図であり（ただし、筐体や遮光板などは省略している）、図６はこのバックライト１を実装した液晶表示装置２の概略断面図である。
【０００７】
このバックライト１によれば、透明材料からなる導光板３と、導光板３の端面に配置されたＬＥＤ４と、ＬＥＤ４の光を外部に漏らさないための遮光板５と、ＬＥＤ４を実装するための基板６と、導光板３に進入した光を拡散させるために導光板３の光出射面側に配置された拡散板７とからなる。
【０００８】
さらには拡散板７からの出射光を集光させるための集光シートとして、たとえばレンズシート８を少なくとも１枚、拡散板７上に配置し、そして、導光板３の光出射面と対向する面には反射板９を設けている。
【０００９】
そして、かかる構成のバックライト１の上に液晶表示パネル１０を配し、これらバックライトユニット１と液晶表示パネル１０とを筐体１１でもって支持固定している。
【００１０】
上記構成の液晶表示装置２を携帯端末に用いるに当り、低消費電力化とともに、その端末の小型化が求められ、そのような小型化に伴い、液晶表示装置２に対しても同様の特性が要求される。
【００１１】
すなわち、液晶表示装置２の狭額縁化が要求されるとともに液晶表示パネル１０の有効表示領域１２と、ＬＥＤ４との距離（図６にて「ｌ（エル）」として表示する）は従来にも増して近接する。
【００１２】
このように液晶表示パネル１０の有効表示領域１２とＬＥＤ４が近接することに起因し、ＬＥＤ４近傍の輝度が極端に高くなり、液晶表示パネル１０のＬＥＤ４近傍の有効表示領域１２内に輝度ムラが発生していた。
【００１３】
輝度ムラは、次の点でも発生していた。
【００１４】
この点を述べると、ＬＥＤ４からの出射光はある角度θをもって、導光板３に入射され、そのために、図５に示す如くＬＥＤ４と有効表示領域１２の距離が近接することで、有効表示領域１２内に低輝度部１３が存在する。
【００１５】
その上、ＬＥＤ４近傍においては輝度が極端に高くなることで、低輝度部分と高輝度部分の差が輝度ムラとなり、これにより、液晶表示パネル１０の表示品位を損なう要因の一つとなっていた。
【００１６】
図７に輝度ムラの発生状況を示す。
同図は図５に示すラインｘ３、ｘ４におけるＬＥＤ４からの距離と輝度の関係をし、横軸はＬＥＤ４からの距離であり、縦軸は輝度を表す。
【００１７】
図７に示すとおり、ｘ３ラインによれば、ＬＥＤ４近傍の有効表示領域１２の輝度が高くなっており、他方のｘ４ラインでは、ＬＥＤ４近傍の有効表示領域１２の輝度が低くなっている。また、有効表示領域１２内でのｘ３ラインにそった輝度と、ｘ４ラインにそった輝度との差が大きくなるほどに、輝度ムラが顕著になるが、図７に示す如く、そのような輝度の差であるΔｘ（３―４）が目立つ傾向にある。
【００１８】
かかる輝度ムラを解消するために、以下に示す技術が提案されている。
ＬＥＤの光量により、円柱状の凸で形成された導光板裏面のパターンの分布密度を調整して導光板面上の出射光を均一化させる技術が提案されている（特開平11-72787号参照）。
【００１９】
あるいは、蛍光管のような線状光源を用いたバックライトにおいて、光源近傍の拡散板あるいは反射板に光吸収層を施すことで、導光板面上の出射光を均一化させる技術も提案されている（特開平8-240720号と特開平10-161119号参照）。
【００２０】
【発明が解決しようとする課題】
しかしながら、前述した従来技術においては、以下のような課題が生じている。
【００２１】
近年における携帯機器の小型化および低消費電力化という市場のニーズに応じるべく、液晶表示パネル１０の有効表示領域１２と光源の距離は従来にも増して近接している。そして、携帯機器のバックライト用光源としては、ＬＥＤが用いられるのが一般的になっている。
【００２２】
したがって、ＬＥＤのような点状光源が液晶表示パネル１０の有効表示領域１２に近接した場合、前述した従来の技術では、光源近傍の強い光を緩和させ、かつ良好な表示品位を提供することが非常に難しくなっているのが現状である。
【００２３】
本発明は叙上に鑑みて完成されたものであり、その目的は点状光源を配したもので、光出射面にて輝度ムラを低減したり、そのムラが解消した高性能な照明パネルを提供することにある。
【００２４】
本発明の他の目的は、本発明の照明パネルをバックライトとして用いた液晶表示装置を提供することにある。
【００２５】
本発明のさらに他の目的は、本発明の液晶表示装置を用いて小型化かつ高い表示性能を達成した携帯端末または表示機器を提供することにある。
【００２６】
【課題を解決するための手段】
本発明の照明パネルは、透明材料から成るとともに、光入射面および光出射面を有する導光板と、前記導光板の光入射面と対向配置された複数の点状光源と、前記導光板の光出射面と対向配置された拡散板と、を備え、前記拡散板には、前記点状光源から遠ざかるに従って光隠蔽性が低下するドットパターンが形成されており、平面視において、前記ドットパターンは、前記点状光源から前記導光板の光入射面に対して垂線を引いた場合の当該垂線上に位置するとともに複数の前記点状光源のそれぞれに対応して存在する極大部と、隣り合う前記点状光源間の中心から前記導光板の光入射面に対して垂線を引いた場合の当該垂線上に位置する極小部とを有し、前記極大部と前記極小部とを円弧状の曲線で結んだ場合において、前記ドットパターンは、当該円弧状の曲線が、前記点状光源の配列方向に沿って、複数連続して形成されたパターンである。
【００２７】
本発明の液晶表示装置は、本発明に係る照明パネルと、前記照明パネルと対向配置されており、かつ有効表示領域を有する液晶表示パネルと、を備え、前記極大部および前記極小部は、前記有効表示領域内に位置している。
【００２８】
本発明の携帯端末は、本発明に係る液晶表示装置を備える。
【００２９】
本発明の表示機器は、本発明に係る液晶表示装置を備える。
【００３０】
よって、携帯端末などの機器において用いる液晶表示装置、とくに小型化した液晶表示装置によれば、狭額縁の液晶表示装置における輝度ムラを緩和させ、表示領域内の表示の均一性が向上し、その結果、表示品位の高い液晶表示装置、ならびに携帯端末および表示機器が得られる。
【００３１】
【発明の実施の形態】
以下、本発明を図にて詳述する。
図１は導光板の一方主面に配設した光反射部材に配列した光吸収性のドットパターン図であり、または他方主面に配設した光拡散部材に配列した光隠蔽性のドットのパターン図である。図２は本発明の照明パネル（バックライト１４）の概略平面図、図３はこのバックライト１４を実装した液晶表示装置１５の概略断面図である。なお、これらの図において、図５と図６にて同一部材には同一符号を付す。
【００３２】
このバックライト１４によれば、透明材料からなる導光板３の端面に前記点状光源であるＬＥＤ４を配し、ＬＥＤ４の光を外部に漏らさないための遮光板５と、ＬＥＤ４を実装するための基板６とが設けられている。
【００３３】
導光板３に進入した光を拡散させるために、前記他方主面である導光板３の光出射面側に前記光拡散部材である拡散板７を設け、さらには拡散板７からの出射光を集光させるための集光シートとして、たとえばレンズシート８を少なくとも１枚、拡散板７上に配置している。
【００３４】
そして、前記一方主面である導光板３の光出射面と対向する面には、前記光反射手段である反射板９を設けている。
【００３５】
かかる構成のバックライト１４の上に液晶表示パネル１０を配し、これらバックライト１４と液晶表示パネル１０とを筐体１１でもって支持固定している。
【００３６】
本発明においては、導光板３の一方主面に配設した反射板９に光吸収性のドットを配列は、また他方主面に配設した拡散板７に光隠蔽性のドットを配列する。本例では、拡散板７の下面に光隠蔽層１６を形成する。
【００３７】
図１は光隠蔽層１６のドットパターンをＬＥＤ４との配置関係でもって示す。同図にて各ドット１７は、たとえばＵＶ硬化系の白色インキにより円形に印刷したものであり、その径サイズを変えることで光隠蔽率が変わる。そのサイズが大きくなれば、光隠蔽性が高くなる。
【００３８】
本発明においては、ＬＥＤ４近傍から遠くなるにしたがって、徐々にドット１７の面積が小さくなることで、単位面積当たり光隠蔽率が小さくなり、いわゆるグラデーション形状を有している。
【００３９】
かかる光隠蔽層１６は、導光板３の出射面からの出射光を遮断することを主目的とするが、一部の出射光が光隠蔽層１６にて吸収される。しかし、その吸収率はきわめて低い。
【００４０】
よって、導光板３からの出射光のほとんどは光隠蔽層１６により導光板３の内部に反射され、それでもってリサイクルされ、結果として、光の損失が少ないと言える。
【００４１】
図４に輝度ムラの発生状況を示す。
同図は図２に示すラインｘ１、ｘ２におけるＬＥＤ４からの距離と輝度の関係を示し、横軸はＬＥＤ４からの距離であり、縦軸は輝度を表す。
【００４２】
図４に示すとおり、ｘ１ラインによれば、ＬＥＤ４近傍の有効表示領域１２の輝度を、光隠蔽層１６にて下げている。また、ｘ２ラインのＬＥＤ４近傍の有効表示領域１２端との輝度の差Δｘ（１-２）が小さくなり、この輝度差Δｘ（１-２）が小さくなるほど輝度ムラが緩和されている。
【００４３】
本発明者が行った実験によると、ＬＥＤ４に日亜化学製ＮＳＣＷ２１５（光出射角θ：１１５°）を使用し、ＬＥＤ４の間隔ｔを１８ｍｍにした場合、光隠蔽層１６を設けないでも良好な表示品位を得られる距離ｌは５．７ｍｍであった。
【００４４】
すなわち、本実験にて使用したモデルであれば、ＬＥＤ４と有効表示領域１２の距離ｌが５．７ｍｍより小さい場合、液晶表示装置の表示品位を損なうことになる。
【００４５】
これに対し、本発明の如く、距離ｌ＜５．７ｍｍとなる狭額縁の液晶表示装置においては、光隠蔽層１６を配設することにより、ＬＥＤ４近傍の強い光を抑えることができ、良好な表示品位を得ることができた。
【００４６】
この点を参考までに図１１により説明する。
光隠蔽層１６を必要とせずに良好な表示が得られるのは、図５に示す低輝度部１３が存在しない場合である。
【００４７】
図１１に示す如く、ＬＥＤ４と有効表示領域１２の距離をｌ、隣り合うＬＥＤ４の出射光の交点をａとし、ＬＥＤ４と交点ａの鉛直距離をｌ′とすると、ｌ＝ｌ′の時、低輝度部１３は存在しなくなる。
【００４８】
この時、以下の関係式が成り立つ。
ｔａｎ（θ／２）＝（ｔ／２）／ｌ′
ｌ′＝（ｔ／２）／ｔａｎ（θ／２）
そして、本実施例の数値を当てはめると（ｔ＝１８、θ＝１１５）
ｌ′＝（１８／２）／ｔａｎ（１１５／２）＝５．７ｍｍ
よって、ｌ′＝５．７ｍｍであれば、低輝度部１３が存在せず、良好な表示が得られる。
【００４９】
一方、ｌ＜ｌ′（＝５．７）となった場合、低輝度部１３が存在することになるため、光隠蔽層１６が必要となる。
【００５０】
次にＬＥＤ４の間隔をさらに遠ざけ、ｔ＝２４ｍｍとした場合、良好な表示品位が得られる距離ｌは７．６ｍｍとなり、ｌを更に縮めた場合は光隠蔽層１６が必要となる。
【００５１】
すなわち、ｔ＝２４、θ＝１１５を当てはめると
ｌ′＝（２４／２）／ｔａｎ（１１５／２）＝７．６ｍｍ
よってｌ＜ｌ′（＝７．６）の場合、低輝度部１３が存在することになるため、光隠蔽層１６が必要となる。
【００５２】
かくして本発明によれば、使用するＬＥＤの種類（光出射角θ）、隣接するＬＥＤの間隔ｔにより、光隠蔽層１６を配設させ良好な表示品位を得る条件は異なるが、狭額縁化により、ＬＥＤ４と液晶表示パネル１０の有効表示領域１２までの距離ｌが近接した液晶表示装置１５において、ｌ＜（ｔ／２）／ｔａｎ（θ／２）を満たす関係であれば、光隠蔽層１６を配設することで、特に有効な効果を得ることができ、液晶表示パネル１０の輝度ムラを緩和させ、良好な表示品位を得ることができる。
【００５３】
このような範囲規定は低輝度部１３が存在することを意味しているが、低輝度部１３が存在する場合、光隠蔽層１６を設けることにより液晶表示パネルの輝度ムラを緩和させ、良好な表示が得られる。
【００５４】
なお、本発明によれば、他の実施例として、たとえば、拡散板７に光隠蔽層を配設したことに代えて、反射板９に前述したドットパターンと同形状の光吸収層を配設してもよい。もしくは拡散板７に光隠蔽層、反射板９に光吸収層を同時に形成してもよい。
【００５５】
また、反射板側に光吸収層を配設する場合、黒色もしくはグレー等の暗褐色であれば良好な効果が得られる。すなわち、光源からの光を反射板側で制御するには、反射光を部分的に吸収する手段を採用するが、その際、黒色もしくはグレー等の暗褐色は光を吸収しやすく、より効果が発揮される。
【００５６】
さらにまた、ドットパターンは図１に示したような形状、配列のドットパターンに代えて、液晶表示体の輝度ムラのレベルに応じて形状、配列、色調、色の濃さを制御、調整し最適化してもよい。
【００５７】
図８は本発明の液晶表示パネル１０の要部拡大断面図であり、図９は本発明の携帯端末の一例である携帯電話１８の概略図、図１０は他の携帯端末１９の概略図である。
【００５８】
本発明の液晶表示パネル１０
図８に示す液晶表示パネル１０を詳述する。
液晶パネル２０の一主面上にポリカーボネイトなどからなる位相差板２１とヨウ素系の偏光板２２とを順次積み重ね、他主面上にポリカーボネイトなどからなる位相差板２３とヨウ素系の偏光板２４とを順次積み重ねる。これらはアクリル系の材料からなる粘着材を用いて貼り付ける。
【００５９】
さらに偏光板２４側にバックライト１４を配設している。
【００６０】
また、液晶パネル２０においては、２５、２６はセグメント側のガラス基板およびコモン側のガラス基板であって、ガラス基板２５上にはストライプ状の電極群である多数平行に配列したＩＴＯからなる透明電極２７と、一定方向にラビングしたポリイミド樹脂からなる配向膜（図示せず）とを順次形成している。なお、透明電極２７と配向膜との間にＳｉＯ2等からなる絶縁層を介在してもよい。
【００６１】
ガラス基板２６の内面には半透過膜２８を形成し、半透過膜２８の上にカラーフィルタをなす着色部２９を設けている。さらに各着色部２９の間にアルミニウムやクロムなどの金属からなる薄膜もしくは感光性レジストにて形成した遮光膜であるブラックマトリックスを形成してもよい。
【００６２】
そして、着色部２９の上にＳｉＯ2や樹脂からなるオーバーコート層３０を被覆し、オーバーコート層３０の上にストライプ状の電極群である多数平行に配列したＩＴＯからなる透明電極３１と、一定方向にラビングしたポリイミド樹脂からなる配向膜（図示せず）とを順次形成している。この透明電極３１は上記透明電極２７と直交している。なお、透明電極３１と配向膜との間にＳｉＯ2等からなる絶縁層を設けてもよい。
【００６３】
半透過膜２８は光透過性と光反射性の双方の特性を具備しており、しかも、２枚の偏光板の間に挟んだ時に位相差を生じないようにする。また、半透過膜２８は鏡面性であっても、散乱性を有していてもよい。散乱性を有する半透過膜２８を作製するには樹脂によって凹凸形状となし、その上に半透過膜を形成すればよい。
【００６４】
上記カラーフィルタである着色部２９は顔料分散方式、すなわちあらかじめ顔料（赤、緑、青など）により調合された感光性レジストを基板上に塗布し、フォトリソグラフィにより形成する。
【００６５】
このように形成した各ガラス基板２５、２６、たとえば２００〜２７０°の角度でツイストされたカイラルネマチック液晶からなる液晶層３２を介してシール剤３３により貼り合わせる。さらに両ガラス基板２５、２６の間には液晶層３２の厚みを一定にするためにスペーサ３４を多数個配している。
【００６６】
上記構成のように半透過膜２８を配設してなる液晶表示装置１５においては、反射型として用いた場合（反射モード）には、太陽光、蛍光灯などの外部照明による照射光は偏光板２２と位相差板２１と液晶パネル２０とを順次通過するが、液晶パネル２０の内部に入射された光はカラーフィルタである着色部２９を透過して半透過膜２８に至り、そして、半透過膜２８にて反射され、そして、液晶パネル２０を通過し、位相差板２１と偏光板２２とを通過して光出射される。
【００６７】
一方、液晶表示装置１５を透過モードにした場合には、バックライト１４の照射光が偏光板２４と位相差板２３と、さらに液晶パネル２０のガラス基板２６とを順次通過し、半透過膜２８を通過し、カラーフィルタである着色部２９を透過し、そして、液晶パネル２０を通過し、位相差板２１と偏光板２２とを通過して光出射される。
【００６８】
このような半透過膜２８は、たとえばアルミニウムやクロム、ＳＵＳ系、Ａｇなどの金属薄膜にするが、膜厚が大きくなると、光透過性が小さくなり、光反射性が大きくなる。このような金属薄膜の厚みは金属の種類により光の吸収係数が異なり、しかも、反射モードおよび透過モードという双方の用途のうち、いずれの用途に対し性能の向上を求めるかによっても規定されるが、通常、５０〜５００Å、好適には１００〜４００Åにするとよい。これによって反射率３０〜７０％、透過率５〜５０％という半透過型液晶表示装置としての特性が得られる。
【００６９】
たとえば、半透過膜２８を膜厚２５０Åのアルミニウム金属薄膜により形成した場合、反射率が６５％、透過率が１５％となる。
【００７０】
半透過膜２８については、金属薄膜に代えて誘電体ハーフミラーにより形成してもよい。すなわち低屈折率層および高屈折率層とを交互に順次積層した積層構造にしてもよく、これによって液晶３２を通して入射した光の一部は高屈折率層にて反射され、その他の高屈折率層を透過した光は低屈折率層にて反射され、そして、これら反射光が干渉され、反射性能が著しく高められ、いわゆる増反射が生じる。
【００７１】
上記のような高屈折率層と低屈折率層とはその間にて屈折率差があれば、どのような材料でもって構成してもよいが、たとえば高屈折率層の屈折率の範囲は２．０〜２．８がよく、ＴｉＯ2、ＺｒＯ2、ＳｎＯ2などで構成するとよい。これに対する低屈折率層の屈折率の範囲は１．３〜１．６がよく、たとえばＳｉＯ2、ＡｌＦ3、ＣａＦ2、ＭｇＦ2などで構成するとよい。
【００７２】
高屈折率層の厚み範囲は２５〜２０００Å、低屈折率層の厚み範囲は２５〜２０００Åにすることで、前述した増反射がもっとも顕著になる。これらを積層し、半透過膜２８の厚み範囲を５０〜１４０００Åにすることで、この増反射が顕著になる。
【００７３】
また、半透過膜２８は高屈折率層と低屈折率層とを交互に順次積層した積層構造にしたことで、各層の総数は２層、４層、６層、８層１０層あるいはそれ以上の層数にて構成する。
【００７４】
さらにまた、このような積層構造の場合には、積層数を変えることで、反射率や透過率を所要とおりに設定することができ、その設計が容易になる。
【００７５】
たとえば、ＳｉＯ2からなる低屈折率層（２００〜１５００Å）とＴｉＯ2からなる高屈折率層（２００〜１０００Å）とを交互に順次積層し、その総数を１６層にした積層構造の場合には、反射率が７５％、透過率が２５％となる。
【００７６】
本発明の携帯電話１８
図９にて液晶表示装置１５を搭載した携帯電話１８を説明する。
【００７７】
この携帯電話１８によれば、小型の筐体３５内に液晶表示装置１５を配設しているが、さらに筐体３５の上部には送信／受信用のアンテナ３６を設け、さらに表面にはレシーバ３７とマイク３８とが形成されている。
【００７８】
本発明の携帯端末１９
図１０にて液晶表示装置１５を配設した携帯端末１９を説明する。この携帯端末１９は携帯電話１８以外のさまざまな情報端末として示す。たとえば、時計、計算機、ゲーム機器、万歩計、ＧＰＳ、ＰＯＳ、ハンディーターミナル、工業計器などがあるが、これらに限定されるものではない。
【００７９】
この携帯端末１９においても、小型の筐体３９内に液晶表示装置１５を配設している。
【００８０】
なお、本発明は上記実施形態例に限定されるものでなく、本発明の要旨を逸脱しない範囲内で種々の変更や改善などは何ら差し支えない。たとえば、上記の実施形態においては、ＳＴＮ型単純マトリックスタイプのカラー液晶表示装置でもって説明しているが、その他に双安定型単純マトリックスタイプのカラーおよびモノクロ液晶表示装置やモノクロタイプのＳＴＮ型単純マトリックスの液晶表示装置、ＴＮ型単純マトリックスタイプの液晶表示装置であっても同様な作用効果が得られる。
【００８１】
さらに下記のような変形例でもよい。
（１）前記液晶表示装置１５においては、液晶パネル１０の両面に位相差板２１と位相差板２３とを設けているが、いずれか一方の面だけに位相差板２１もしくは位相差板２３を設けてもよい。
（２）前記液晶表示装置１５では半透過膜２８を形成して、透過モードと反射モードに使用したが、このような半透過膜２８を形成しないで、透過モードの透過型液晶表示装置でもよい。
（３）本発明の液晶表示装置を配設した装置として、携帯端末でもって例示したが、その他、この液晶表示装置を表示デバイスとして使用する各種機器にも適用できる。たとえば、ミシン、ステレオ、楽器、ビデオ、ＡＴＭ、複写機やファクシミリ、駅、レストラン、工場内の表示パネルなどのさまざまな表示機器の表示板にも使用してもよい。
【００８２】
【発明の効果】
以上のとおり、本発明の照明パネルにおいては、透明材料から成るとともに、光入射面および光出射面を有する導光板と、前記導光板の光入射面と対向配置された複数の点状光源と、前記導光板の光出射面と対向配置された拡散板と、を備え、前記拡散板には、前記点状光源から遠ざかるに従って光隠蔽性が低下するドットパターンが形成されており、平面視において、前記ドットパターンは、前記点状光源から前記導光板の光入射面に対して垂線を引いた場合の当該垂線上に位置するとともに複数の前記点状光源のそれぞれに対応して存在する極大部と、隣り合う前記点状光源間の中心から前記導光板の光入射面に対して垂線を引いた場合の当該垂線上に位置する極小部とを有し、前記極大部と前記極小部とを円弧状の曲線で結んだ場合において、前記ドットパターンは、当該円弧状の曲線が、前記点状光源の配列方向に沿って、複数連続して形成されたパターンであるので、点状光源近傍において輝度が極端に高くなることを補完し、これにより、低輝度部分と高輝度部分の差が解消され、その結果、有効表示領域にわたって均等な輝度が得られ、さらに表示装置の狭額縁化も達成された。
【００８３】
また、本発明において、携帯端末などの機器において用いる液晶表示装置、とくに小型化した液晶表示装置によれば、狭額縁の液晶表示装置における輝度ムラを緩和させ、表示領域内の表示の均一性が向上し、その結果、表示品位の高い小型化の液晶表示装置が得られた。
【００８４】
さらに本発明によれば、かかる本発明の液晶表示装置を使用することで、小型化かつ高表示品位の携帯端末および表示機器が提供できた。
【図面の簡単な説明】
【図１】導光板に配設した光反射部材または光拡散部材に配列した光吸収性のドットパターン図である。
【図２】本発明の照明パネルの概略平面図である。
【図３】本発明の液晶表示装置の概略断面図である。
【図４】本発明の照明パネルにおける有効表示領域と輝度との関係を示す線図である。
【図５】従来の照明パネルの概略平面図である。
【図６】従来の液晶表示装置の概略断面図である。
【図７】従来の照明パネルにおける有効表示領域と輝度との関係を示す線図である。
【図８】本発明の液晶表示装置ルの要部拡大断面図である。
【図９】本発明の携帯電話の概略図である。
【図１０】本発明の携帯端末の概略図である。
【図１１】本発明の照明パネルの要部拡大概略平面図である。
【符号の説明】
１・・・バックライト
２・・・液晶表示装置
３・・・導光板
４・・・ＬＥＤ
７・・・拡散板
９・・・反射板
１０・・・液晶表示パネル
１２・・・有効表示領域
１３・・・低輝度部
１４・・・バックライト
１６・・・光隠蔽層
１７・・・ドット
１８・・・携帯電話
１９・・・携帯端末
【図１】
0004711541.tif 000002
【図２】
0004711541.tif 000003
【図３】
0004711541.tif 000004
【図４】
0004711541.tif 000005
【図５】
0004711541.tif 000006
【図６】
0004711541.tif 000007
【図７】
0004711541.tif 000008
【図８】
0004711541.tif 000009
【図９】
0004711541.tif 000010
【図１０】
0004711541.tif 000011
【図１１】
0004711541.tif 000012